(57)【要約】【課題】患者の生体音、生体信号の検出操作を容易にすると共に、着衣、脱衣の容易な衣服を提供する。【解決手段】人体の内部で発生する生体音を検出する複数の生体音検出手段１５と、前記生体音検出手段１５を人体側に移動させる空気袋１４を衣服１１に備え、患者が前記衣服１１を着衣した後に、前記空気袋１４に空気を送って前記生体音検出手段１５を人体側に移動させることにより、前記生体音検出手段１５が患者の皮膚に密着して、患者の生体音を確実に捉えることができる。【選択図】  図２
2004181025.tif 000002
【特許請求の範囲】
【請求項１】
人体の内部で発生する生体音を検出する複数の生体音検出手段と、前記生体音検出手段を人体側に移動させる移動手段を備えた衣服。
【請求項２】
裏側に取着された空気袋と、前記空気袋に空気を供給するエアーポンプに接続される給気管と、前記空気袋の膨張にともなって人体側に移動すると共に人体の内部で発生する生体音を検出する生体音検出体を備えた衣服。
【請求項３】
裏側に取着された空気袋と、前記空気袋に空気を供給するエアーポンプに接続される給気管と、人体の内部で発生する生体音を集音する集音部材と、前記集音部材の反人体側に取り付けられ前記集音部材で集音された生体音を検出する生体音検出体を備え、前記集音部材の人体側端部を前記空気袋の膨張にともなって人体側に移動するようにした衣服。
【請求項４】
空気袋を衣服に着脱自在とした請求項２または３記載の衣服。
【請求項５】
生体音検出体を空気袋に着脱自在とした請求項２〜４のいずれか１項記載の衣服。
【請求項６】
空気袋内の空気圧を任意に切り替える圧力切替手段に連結される請求項２〜５のいずれか１項記載の衣服。
【請求項７】
請求項１〜６のいずれか１項記載の衣服に設けた生体音検出手段または生体音検出体で検出された生体音を公衆回線を通じて遠隔地に送信し、遠隔地で前記生体音を診断する遠隔診断システム。
【請求項８】
遠隔地より、生体音検出体を任意に選択できるようにした請求項７記載の遠隔診断システム。
【請求項９】
人体の生体信号を検出する複数の生体信号検出体と、前記生体信号検出体を人体側に移動させる移動手段を備えた衣服。
【請求項１０】
裏側に取着された空気袋と、前記空気袋に空気を供給するエアーポンプに接続される供給管と、前記空気袋の膨張にともなって人体側に移動すると共に人体の生体信号を検出する生体信号検出体を備えた衣服。
【請求項１１】
空気袋を衣服に着脱自在とした請求項１０記載の衣服。
【請求項１２】
生体信号検出体を空気袋に着脱自在とした請求項１０または１１記載の衣服。
【請求項１３】
空気袋内の空気圧を任意に切り替える圧力切替手段に連結される請求項１０〜１２のいずれか１項記載の衣服。
【請求項１４】
請求項９〜１３のいずれか１項記載の衣服に生体信号検出体を複数設け、前記生体信号検出体で検出された生体信号を公衆回線を通じて遠隔地に送信し、遠隔地で生体信号を診断する遠隔診断システム。
【発明の詳細な説明】
【発明の属する技術分野】本発明は、人体を診断する際に用いる衣服及びそれを用いて、遠隔地より患者の健康状態を診断する遠隔診断システムに関するものである。
【従来の技術】医師が患者の健康状態を診断する際に用いるものに、聴診器や心電計があることは良く知られている。聴診器は、患者の体内で発生する胸膜音、心音、呼吸音、脈音などの生体音を聞いて、患者を診断するもので、一般に、図１２に示されるように、患者の皮膚に押し当てて生体音を集音する集音部１と、前記集音部１に接続されるゴム管２と、ゴム管２に接続される分岐管３と、分岐管３の端部に設けられた耳あて４から構成されている。医師は、耳あて４を耳に挿入し、集音部１を、患者の胸壁や背中に押し当てて生体音を聞いて患者を診断する。
他の聴診器の例として、特開平１０−２４０３３号公報に示されるように、聴診器の収音部にマイクロホンを設け、前記マイクロホンで受音された生体音をアンプで増幅し、その増幅された電気信号でスピーカやヘッドホンを駆動するようにして、耳あてを不要としたものもある。
さらに、他の従来例として特開２００１−３０９９１６号公報には、聴診器で受けた生体音を遠隔の医療期間にいる医師にインターネットを介して送信する通信機能付き聴診器が開示されている。
一方、心電計は、患者の心電図データといった生体信号を捕らえるもので、心臓の動作状態を診断する上で不可欠で、一般に、患者の両手、両足、胸壁に置かれる電極を備えている。電極を使用する際、電極が安定して生体信号を検出できるように、電解質からなる糊状のものを皮膚に塗り、その上に電極を置くようにしている。
また、特開２０００−１４６５４号公報には、伸縮性の大きな繊維で縫製されたスーツの内面に、筋肉の活動電位を測定する面状電極を複数装着した衣服が開示され、それを着服するだけでいくつもの電極をさまざまな箇所に貼り付ける手間が省けるようになっている。
【発明が解決しようとする課題】
患者自身が、聴診器の使用方法を知っている場合、従来の聴診器では、自分で胸壁に聴診器を当てることは出来ても背中に当てることは出来ず、自分自身で十分な診断が出来なかった。また、一般に行われているように、医師に聴診器を使って診断してもらう場合、患者が病院に赴くか、医師に患者の自宅まできてもらわなければならず、互いに非常に不便であり、また、患者の容体が急変した場合には、対応が遅れがちであった。また、特開２００１−３０９９１６号公報に聴診器そのものの使用方法が具体的に開示されていないことから判断し、その方法は従来方法、すなわち医師も含め第三者に聴診器をあててもらうことを前提としているものと思われる。
また、心電計で診断する場合、従来いくつもの電極をさまざまな箇所に貼り付ける必要があり、特に自己の健康管理上患者自身が心電計を使用する場合、非常に手間がかかっていた。
特開２０００−１４６５４号公報に開示された衣服は、ウエットスーツのように伸縮性の大きな繊維で縫製されているので、着衣が極めて困難で、しかも体全体が常に締め付けられる状態になるので、息苦しく、病弱の患者や、年配の患者にとって非常に苦痛なものであった。
本発明は、上記課題を解決し、患者の生体音、生体信号の検出操作を容易にすることを第１の目的としている。また、第２の目的は、患者は自宅に、医師は医療施設に居たままで患者の生体音、生体信号を確認して、診断に伴う相互の負担を軽減すると共に、迅速な診断が行えるようにすることである。
【課題を解決するための手段】
上記第１の目的を達成するために本発明は、人体の内部で発生する生体音を検出する複数の生体音検出手段と、前記生体音検出手段を人体側に移動させる移動手段を衣服に備え、衣服の着衣後に生体音検出手段を人体側に移動させるようにすることで、着衣が容易であると共に、移動手段で、生体音検出体を体表に密着させることが出来るので、確実に且つ正確な診断を行うことが出来る。
上記第２の目的を達成するために本発明は、上記衣服に設けた生体音検出手段または、生体音検出体で検出された生体音を公衆回線を通じて遠隔地に送信し、遠隔地で生体音を診断するようにしたもので、遠く離れた所からでも患者の診断が出来るようになる。
【発明の実施の形態】
請求項１記載の発明は、人体の内部で発生する生体音を検出する複数の生体音検出手段と、前記生体音検出手段を人体側に移動させる移動手段を衣服に備え、衣服の着衣後に生体音検出手段を人体側に移動させるようにすることで、着衣が容易であると共に、移動手段で、生体音検出体を体表に密着させることが出来るので、確実に且つ正確な診断を行うことが出来る。
請求項２記載の発明は、裏側に取着された空気袋と、前記空気袋に空気を供給するエアーポンプに接続される給気管と、前記空気袋の膨張にともなって人体側に移動すると共に人体の内部で発生する生体音を検出する生体音検出体を備えたもので、着衣が容易であると共に、着衣するだけで生体音検出体が体表の必要箇所に位置させることが出来、さらに、空気袋を膨らませて、生体音検出体を体表に密着させて、確実に診断を行うことが出来る。
請求項３記載の発明は、裏側に取着された空気袋と、前記空気袋に空気を供給するエアーポンプに接続される給気管と、人体の内部で発生する生体音を集音する集音部材と、前記集音部材の反人体側に取り付けられ前記集音部材で集音された生体音を検出する生体音検出体を備え、前記集音部材の人体側端部を前記空気袋の膨張にともなって人体側に移動するようにしたもので、人体側端部が確実に体表に密着して、外部からの音侵入を防止し、生体音を確実に捉えることが出来る。
請求項４記載の発明は、空気袋を衣服に着脱自在にすることにより、汚れ具合に応じて、空気袋、衣服を別々に洗濯することができる。万一使用中に空気袋が破けても、空気袋の交換だけで済むので、コスト的に有利になる。
請求項５記載の発明は、生体音検出体を空気袋に着脱自在としたもので、生体音検出体の修理や、交換が極めて容易になるものである。
請求項６記載の発明は、空気袋内の空気圧を任意に切り替える圧力切替手段に連結されるようにしたので、患者の肥満度、体表の状態に応じて適切に空気袋内の空気圧が変えられ、不要な圧迫感が無く、使用勝手が良い。
請求項７記載の発明は、１〜６のいずれか１項記載の衣服に設けた生体音検出手段又は生体音検出体で検出された生体音を公衆回線を通じて遠隔地に送信し、遠隔地で生体音を診断するようにしたもので、遠く離れた所からでも患者の診断が出来るようになる。
請求項８記載の発明は、遠隔地より、生体音検出体を任意に選択できるようにしたもので、遠隔地から診断する医師が異常な生体音を発する部位を適宜選択できるので、診断を効率良く行うことが出来る。
請求項９記載の発明は、人体の生体信号を検出する複数の生体信号検出体と、前記生体信号検出体を人体側に移動させる移動手段を備えた、衣服の着衣後に生体信号検出体を人体側に移動させるようにすることで、着衣が容易であると共に、移動手段で、生体信号検出体を体表に密着させることが出来るので、確実に且つ正確な診断を行うことが出来る。
請求項１０記載の発明は、裏側に取着された空気袋と、前記空気袋に空気を供給するポンプに接続される供給管と、前記空気袋の膨張にともなって人体側に移動すると共に人体の生体信号を検出する生体信号検出体を備えたもので、着衣が容易で、着衣するだけで生体信号検出体が体表の必要箇所に位置させることが出来、さらに、空気袋を膨らませて、生体信号検出体を体表に密着させることが出来るので、確実に生体信号を捕らえ、診断を行うことが出来る。
請求項１１記載の発明は、空気袋を衣服に着脱自在としたもので、汚れ具合に応じて、空気袋、衣服を別々に洗濯することができる。万一使用中に空気袋が破けても、空気袋の交換だけで済むので、コスト的に有利になる。
請求項１２記載の発明は、生体信号検出体を空気袋に着脱自在としたもので、生体信号検出体の修理や、交換が極めて容易になるものである。
請求項１３記載の発明は、空気袋内の空気圧を任意に切り替える圧力切替手段に連結されるようにしたので、患者の肥満度、体表の状態に応じて適切に空気袋内の空気圧が変えられ、不要な圧迫感が無く、使用勝手が良い。
請求項１４記載の発明は、請求項９〜１３のいずれか１項記載の衣服に生体信号検出体を複数設け、前記生体信号検出体で検出された生体信号を公衆回線を通じて遠隔地に送信し、遠隔地で生体信号を診断するようにしたもので、遠く離れた所からでも患者の診断が出来るようになる。
【実施例】
〈実施例１〉
本発明の第１の実施例を図１〜５を用いて説明する。なお、従来例と同一部分については、同一符号を付してその説明を省略する。
図１は、本発明の衣服１１を着衣した患者を示し、図２は衣服１１の裏面を示す。１１ａ、１１ｂ、１１ｃは、それぞれ衣服１１の背当部、前部、脇部で、脇部１１ｃの表側には面ファスナーＡ１２が取りつけられ、前部１１ｂの裏側端部には面ファスナーＢ１３が取り付けられており、衣服１１を着衣した後、面ファスナーＢ１３を面ファスナーＡ１２に押し付ける事により、衣服１１の前部１１ｂが脇部１１ｃに固定され、着衣が完了する。なお、２つの面ファスナーを圧設させて固定する時には、一方の面ファスナーに無数のフックが、他方の面ファスナーには無数のループが付いていることは周知なので、本明細書中では、特にどちらにフックが付いてどちらにループが付いているか、特定しないこととする。例えば、上記面ファスナーＢ１３がループ側の場合、他方の面ファスナーＡ１２はフック側であり、その逆でも良い。
１４は空気袋で、後述する生体音検出手段１５を人体側に移動させる手段となるもので、それにエアーポンプ２０により空気が供給されると、膨張するものである。生体音を検出する生体音検出手段１５は、空気袋１４のそれぞれに複数〈本実施例では、一つの空気袋に左右２箇所〉設けられ、それぞれ形状が略円錐状で生体音を集音する集音部材１５ａと、前記集音部材１５ａの奥（反人体側）に配され、集音部材１５ａで集音された生体音を検出し電気信号に変換する生体音検出体となるマイクロフォン１６ａ〜１６ｈから形成されている。
集音部材１５ａの衣服１１への取り付けは、接着や溶着で固着するか、面ファスナー〈図示せず〉を使って脱着自在にしても良い。後者の場合、集音部材１５ａの破損時の交換が容易になることは言うまでもない。
それぞれの空気袋１４の裏面には、図３（ａ）に示されるように面ファスナーＣ１７が固着され、衣服１１の背当部１１ａ、前部１１ｂの裏面には面ファスナーＤ１８が固着されており、面ファスナーＣ１７、Ｄ１８で、空気袋１４が衣服１１に対し着脱自在になっている。
１９は、コントロールボックスで、空気袋１４にエアーを供給するエアーポンプ２０、マイクロフォン（１６ａ〜１６ｈ）で検出された生体音を増幅するアンプ２１と、アンプ２１で増幅された生体音を発するスピーカー２２、前記エアーポンプ２０やアンプ２１の電源となる電池２３が内蔵されている。
２４は、空気袋１４内と連通する空気の圧力を検知する圧力センサーで、エアーポンプ２０を駆動制御する制御回路２５に接続されている。２６は、空気袋１４内と連通する空気の圧力を切り替える圧力切替スイッチで、同じく制御回路２５に接続されている。
２７、２７ａは、それぞれ出力切替スイッチ、出力切替スイッチＡで、図５に示されるように両スイッチを切り替えて、複数のマイクロフォン１６ａ〜１６ｈの内のいずれか一つのマイクロフォンを選択して、その部位での生体音を聞けるようにするものである。２８はアンプ２１による増幅率を変えてスピーカー２２の音量を調整する音量調整つまみである。
２９は、エアーポンプ２０、アンプ２１への通電を入り切りする電源スイッチである。空気袋１４には、給気管Ａ３０が固着され、エアーポンプ２０からの空気は、前記エアーポンプ２０と給気管Ａ３０とを連結する給気管Ｂ３１を通して空気袋１４に送られる。３２は、アンプ２１とマイクロフォン１６ａ〜１６ｈとを電気的に接続する導体である。
上記構成による作用は以下の通りである。
患者は、衣服１１を着たら、衣服１１がたるまない程度に衣服１１の前部１１ｂを脇部１１ｃ側に引き寄せて、面ファスナーＢ１３を面ファスナーＡ１２に押し付けて、前部１１ｂと脇部１１ｃをしっかり固定する。次に、電源スイッチ２９を「入」にし、圧力切替スイッチ２６を「低」の位置に合わせる。するとエアーポンプ２０の運転が開始し、空気袋１４への空気の供給が開始する。
図３（ａ）は、空気が供給される前の空気袋１４の状態を示すもので、エアーポンプ２０が運転されると、図３（ｂ）に示すように空気袋１４が膨張し、同時に集音部材１５ａの人体側端部１５ｂが、人体側に移動し体表に押しつけられ、圧力センサー２４が所定の「低」圧力を検知すると、制御回路２５の動作でエアーポンプ２０の運転は停止し、空気袋１４への空気の供給は停止する。
患者が肥満タイプの場合は、空気袋１４内の圧力が「低」でも、集音部材１５ａの人体側端部１５ｂが患者の体表に密着し、集音部材１５ａが外部の雑音を拾ったり、また生体音が集音部材１５ａから漏れることがなく、生体音を確実に捕らえることができる。しかし、患者が痩せ型の場合は、集音部材１５ａをある程度強く体表に押しつけないと、人体側端部１５ｂと体表との間に隙間が発生し、外部の雑音を拾ったりする事がある。この場合は、圧力切替スイッチ２６を「中」、又は「高」の位置に合わせて、空気袋１４に供給される空気の圧力を高めると良い。ただし必要以上に圧力を高くすると、人体側端部１５ｂが体表に食い込み痛く感ずるので、適宜調整することが望ましい。
次に、部位切替スイッチ２７、部位切替スイッチＡ２７ａを任意の位置に合わせることにより、その部位における生体音がスピーカー２２から発する。例えば、図４に示すように、部位切替スイッチ２７を「胸部」、部位切替スイッチＡ２７ａを「上段−右」の位置に、それぞれ合わせることで、図２に示されるマイクロフォン１６ｅが捕らえた生体音をスピーカー２２で確認することができる。
スピーカー２２の音量は音量調整つまみ２８で調整する。後は、部位切替スイッチ２７、部位切替スイッチＡ２７ａを順次切り替えて、各部の生体音を聞いて異常な音が出ていないか調べる。
以上のように、本実施例によれば、患者は衣服１１を着衣し、コントロールボックス１９を操作するだけで、簡単に、しかも自ら各部位の生体音を確かめることができる。また、医師が生体音を診断する場合でも、患者に本実施例の衣服１１を着衣してもらうだけで、診断に必要な各部位にマイクロフォンが取りつけられた状態になり、後は、部位切替スイッチ２７、部位切替スイッチＡ２７ａを切り替えるだけなので、診断が極めて容易に出来るものである。
また、集音部材１５ａの体表への押圧が、圧力切替スイッチ２６による空気の圧力の切り替えで、自由に変えられるので、患者の体表に必要以上に集音部材１５ａが押しつけられることが無く、体への負担も少ない。さらに、本実施例では、空気袋１４の衣服１１への取り付けを面ファスナーで行っているので、空気袋１４の取り外しが簡単で、衣服１１の洗濯も容易に行える。なお、衣服１１の背当部１１ａ、前部１１ｂに固定した面ファスナーＤ１８をある程度大きめにしておけば、患者の大きさに合わせて、空気袋１４の取りつけ位置が容易に調整でき、患者の大きさ、体形に合わせて正しい位置で生体音を捕らえることが出来ることは言うまでもない。
なお、特に図示しないが、マイクロフォン１６ａ〜１６ｈと、集音部材１５ａのそれぞれに面ファスナーを取り付け、両方の面ファスナーで脱着するようにすれば、マイクロフォン１６ａ〜１６ｈのメンテが容易になることは言うまでもない。
〈実施例２〉
次に本発明の第２の実施例を図６を用いて説明する。なお、上記第１の実施例と同一部分については、同一符号を付してその説明を省略する。
上記第１の実施例では、別部品の集音部材１５ａを衣服１１に取り付けるようにしたが、本実施例では、図６に示すように、集音部３３を衣服１１に一体的に形成したものである。すなわち、空気袋１４の表シート１４ａと裏シート１４ｂのそれぞれの内面の一部（図６（ａ）中の斜線部）を互いに溶着し、その溶着部３４に生体音検出体であるマイクロフォン３５を、接着剤等を用いて固着したものである。
図６（ｂ）は、空気袋１４に空気を供給する前の状態を示し、その空気袋１４に空気を供給すると、図６（ｃ）に示されるように、溶着部３４を頂点とする略円錐状の集音部３３が形成される。
上記構成によれば、集音部３３が空気袋１４に一体に形成されるので、部品点数が削減されて安価になると共に、集音部３３そのものが空気袋１４の一部なので、体表への接触が極めて良好でしかも、体表に別部品の集音部材が当たることによる異物感、不快感もなく、非常に使用勝手が良いものである。
なお、マイクロフォン３５の溶着部３４への取り付けを、接着剤等を用いた固着ではなく、面ファスナーを用いて着脱自在にすれば、万一マイクロフォン３５が破損した場合、その交換が容易になることは言うまでもない。
〈実施例３〉
次に、本発明の第３の実施例を図７，８を用いて説明する。なお、上記実施例と同一部分については、同一符号を付してその説明を省略する。
３６は、一般に使用される電話機〈図示せず〉の受話器４０を載せる受話器置部で、コントロールボックス１９の一側に配され、受話器４０を受話器置部３６に置いた時に受話器４０のスピーカー４０ａと対向する位置にマイクロフォンＡ３７が、また、受話器４０のマイク４０ｂと対向する位置に生体音を発するスピーカー２２がそれぞれ配されている。
マイクロフォンＡ３７が捕らえた音声はアンプＡ３８で増幅されて、スピーカーＡ３９から発せられる。３９ａは、スピーカーＡ３９の音量を調整するための音量調整つまみである。
上記構成による作用は以下の通りである。
患者は、自宅から離れた医療施設に電話をして、医師に電話口にでてもらい、生体音を電話口で聞いて欲しい旨お願いする。医師がそれを了解したら、患者は受話器４０をコントロールボックス１９の受話器置部３６に置く。
医師の指示は、スピーカー３９から発せられるので、それに従って、患者は、聴診部位を部位切替スイッチ２７、部位切替スイッチＡ２７ａを使って順次切り替えるようにする。
このように、本実施例によれば、電話回線を使って、患者が自宅に居ながら、離れた医師に聴診してもらうことが出来、万一生体音に異常または、疑わしいところがあれば、医師の居る医療施設に赴くようにすれば良い。勿論、問題がなければ、医療施設に行く必要がないので、無駄足を運ぶことがない。
〈実施例４〉
次に、本発明の第４の実施例を図９を用いて説明する。なお、上記実施例と同一部分については、同一符号を付してその説明を省略する。
４１は、患者の自宅に設置した聴診アダプターで、衣服１１及び情報処理機Ａ４２に接続されている。情報処理機Ａ４２は、電話回線、インターネット等の公衆回線を通じて医師側に設置された情報処理機Ｂ４３と情報や信号のやり取りを行う。
聴診アダプター４１には、衣服１１に取り付けられたマイクロフォン１６ａ〜１６ｈを切り替える切替手段４４、医師からの指示を音声で聞くためのスピーカーＢ４８、空気袋１４に空気を供給するエアーポンプＡ４５、エアーポンプＡ４５により供給される空気の圧力を検知する圧力センサーＡ４５ａ、エアーポンプＡ４５を駆動する駆動回路４５ｂ、上記エアーポンプＡ４５、駆動回路４５ｂに電力を供給する電池４５ｃが内蔵されている。４９は、患者の言葉を医師に伝える為のマイクロフォンＢである。
一方、医師側の情報処理機Ｂ４３には、医師の指示を患者に伝えるためのマイクロフォンＣ５０とコントロールボックスＡ５１が接続されている。コントロールボックスＡ５１には、切替手段４４、駆動回路４５ｂのそれぞれを情報処理機Ａ４２、情報処理機Ｂ４３を介して遠隔制御するための電気信号を創生する聴診部位選択スイッチ５２、圧力切替スイッチＡ５３がそれぞれ設けられている。
上記構成による作用は、以下の通りである。
最初に、患者と医師は、電話等で、診断を開始する旨、及び情報処理機Ａ４２、情報処理機Ｂ４３、聴診アダプター４１、コントロールボックスＡ５１などの関連機器が全て通電され動作開始可能状態になっているか、電話等で確認し合う。
次に患者は、衣服１１を着衣し、前部１１ｂを脇部１１ｃに留める。次に医師は圧力切替スイッチ５３をＯＮすると共に空気袋１４の空気圧を所定の値に設定する。圧力切替スイッチＡ５３で設定された圧力に対応する信号は、情報処理機Ｂ４３、情報処理機Ａ４２を経て、駆動回路４５ｂに伝達され、エアーポンプＡ４５が動作し、空気袋１４に空気が送られ、設定された圧力を圧力センサーＡ４５ａが検知すると、エアーポンプＡ４５の動作が停止する。圧力切替スイッチＡ５３による圧力の設定は、最初は低めの値から始め、マイクロフォンＣ５０を通して、患者に空気袋１４のふくらみ具合を確認しながら適正な値まで上げて行く。次に医師は、患者の聴診部位を切り替えるために聴診部位選択スイッチ５３を操作すると、情報処理機Ｂ４３、情報処理機Ａ４２を経て切り替え信号が切替手段４４に伝達され、マイクロフォン１６ａ〜１６ｈが切り替えられていく。
医師の質問に対する患者の返事は、スピーカーＣ５４を通して確認される。
このように本実施例によれば、患者と医師が遠く離れていても、医師により患者が着衣した衣服に取り付けられた空気袋の圧力を適性に調整して、患者の生体音を確実に捉え、診断を正確に行うことが出来るものである。
上記実施例では、生体音検出体を備えた空気袋を背当部１１ａ、前部１１ｂに設けたが、衣服に袖を設け、着衣時に手首部に位置する内周に、生体音検出手段を備えた空気袋を取り付けて血圧計として使っても良い。具体的には、前記空気袋に空気を供給して膨らませて動脈を阻血した後、生体音検出体で脈音を聞きながら空気を徐々に排出して行けば、血圧を測ることができるものである。あるいは、生体音検出体の替わりに、脈波による空気袋内の圧力変動を検知する検知手段を設ければ、同じく血圧計として使えると共に、心拍数を測定する衣服としても活用できるものである。
〈実施例５〉
次に、本発明の第５の実施例を図１０、１１を用いて説明する。なお、上記実施例と同一部分については、同一符号を付してその説明を省略する。
本実施例は、上記実施例での生体音検出体に替え、患者の生体信号すなわち心電図データを得るための電極を空気袋に取り付けたものである。
以下にその説明を行う。６０は空気袋Ａで、裏面に固着された面ファスナーＣ１７と、衣服１１の前部１１ｂに固着された面ファスナーＤ１８を介して前部１１ｂに取り付けられている。６１は、生体信号を検出するための電極で、空気袋６０の上下方向の略中央で且つ左右に１個づつ取り付けられている。電極６１の空気袋６０への取り付けは、接着や溶着等で固定するか、あるいは、面ファスナーを使って着脱自在としても良い。
６２は、電極６１と心電計（図示せず）を電気的に接続する導線である。６３は、コントロールボックスＢで、エアーポンプ２０、制御回路２５、電源用の電池２３、圧力センサー２４を内蔵すると共に、圧力切替スイッチ２６を備えている。３０，３１は、空気袋６０とエアーポンプ２０とを連通する給気管Ａ，給気管Ｂである。  図１１（ａ）は、空気袋Ａ６０に空気が供給される前の状態を示し、図１１（ｂ）は、空気袋Ａ６０に空気が供給され膨らんだ状態を示す。
上記構成による作用は以下の通りである。
患者は、衣服１１を着衣するにあたり、電極６１による生体信号の検出を安定して行えるように、事前にそれぞれの電極６１に、一般に使用される電解液を塗布する。そして衣服１１を着衣し、前部１１ｂを脇部１１ｃにしっかり固定する。
必要に応じて、手首と足首にそれ用の電極を、患者自ら従来の方法で取り付ける。
次に、コントロールボックスＢ６３の圧力切替スイッチ２６を操作して、電極６１が確実に、しかも程よい圧力で体表に接するように、空気袋Ａ６０を膨らませる。圧力切替スイッチ２６の詳細な使用方法については、第１の実施例と同様であるので、その説明を省略する。
そして心電計を操作して、通常の心電図を得る。
以上のように、本実施例によれば、患者が衣服を着衣するだけで、複数の電極を同時に体表の必要部位に位置させることが出来るので、電極の取り付け作業が簡便になり、多少体が不自由な人でも使用することが出来る。また、患者自身で圧力切替スイッチ２６を操作して、電極が程よい圧力で体表に押しつけられるように空気袋Ａ６０を膨らませることが出来るので、不要な圧迫感がなく、しかも生体信号を確実に捉えることが出来るものである。
また、心電計で得られた心電図データを、第４の実施例で述べたような患者側に設置した情報処理機を使って、離れた医師のところに設置したに情報処理機に公衆回線を通じて送れば、離れたところで医師がしかもリアルタイムで患者の心電図データを確認することが出来る。
【発明の効果】
以上のように、本発明によれば、衣服の着衣時には空気袋内の空気が少ないので、着衣が容易で、一旦着衣すると、生体音検出体、生体信号検出体が体表の必要箇所に位置するので、誰でも簡単に使え、さらに、空気袋に空気を送ることで、空気袋が膨張し、体表に密着して、生体音、生体信号が確実に捉えられ、正確な診断が出来るものである。
また、遠く離れた医師が在宅患者を診断出来るので、診断が効率的に行えると共に、患者は病院に赴く必要がないので、体の不自由な患者や、交通の便が悪い所に済む患者にとっては極めて有効なものである。
【図面の簡単な説明】
【図１】本発明の第１の実施例を示す衣服を患者が着ている様子を示す図
【図２】同衣服の裏面を示す展開図
【図３】（ａ）図２のＡ−Ａ断面図〈膨張前〉
（ｂ）図２のＡ−Ａ断面図〈膨張後〉
【図４】同衣服に接続されるコントロールボックスの平面図
【図５】同コントロールボックス内の電気回路を示すブロック図
【図６】（ａ）本発明の第２の実施例を示す衣服の空気袋の平面図
（ｂ）同空気袋の断面図（膨張する前）
（ｃ）同空気袋の断面図（膨張後）
【図７】本発明の第３の実施例を示す衣服に接続されるコントロールボックスの平面図
【図８】同コントロールボックス内の電気回路を示すブロック図
【図９】本発明の第４の実施例を示す遠隔診断システムの全体図
【図１０】本発明の第５の実施例を示す衣服
【図１１】（ａ）図１０のＢ−Ｂ断面図〈膨張前〉
（ｂ）同Ｂ−Ｂ断面図〈膨張後〉
【図１２】従来の聴診器の全体斜視図
【符号の説明】
１１    衣服
１４    空気袋（移動手段）
１５    生体音検出手段
１５ａ  集音部材
１９    コントロールボックス
２０    エアーポンプ
２４    圧力センサー
２５    制御回路
２６    圧力切替スイッチ
２７    部位切替スイッチ
２７ａ  部位切替スイッチＡ
２８    音量調整ツマミ
２９    電源スイッチ
３０    給気管Ａ
３１    給気管Ｂ
３３    集音部
【図１】
2004181025.tif 000003
【図２】
2004181025.tif 000004
【図３】
2004181025.tif 000005
【図４】
2004181025.tif 000006
【図５】
2004181025.tif 000007
【図６】
2004181025.tif 000008
【図７】
2004181025.tif 000009
【図８】
2004181025.tif 000010
【図９】
2004181025.tif 000011
【図１０】
2004181025.tif 000012
【図１１】
2004181025.tif 000013
【図１２】
2004181025.tif 000014